(57)【要約】【課題】発光素子と受光素子とのピッチを狭めた状態であっても信号ノイズの除去をすることが可能な光コネクタを提供する。【解決手段】送信側のＦＯＴ２ａ及び受信側のＦＯＴ２ｂは、第一シールドケース４で覆われた状態にあり、そして、第二シールドケース５の装着によってこの第二シールドケース５の接触部兼押圧部１４が第一シールドケース４の後側に接触することから、送信側のＦＯＴ２ａと受信側のＦＯＴ２ｂとの間に生じる信号ノイズは、第二シールドケース５の接触部兼押圧部１４及びグランド部１６を介してグランドに逃がされる。【選択図】図１
2010175575.tif 000002
【特許請求の範囲】
【請求項１】
送信側のＦＯＴ（Fiber Optic Transceiver ）と、受信側のＦＯＴと、前記送信側のＦＯＴ及び前記受信側のＦＯＴを並べ且つ近接させた状態でこれらを覆う金属製の第一シールドケースと、該第一シールドケースに接触する接触部及びグランドとして機能するグランド部を有する金属製の第二シールドケースとを備える
ことを特徴とする光コネクタ。
【請求項２】
請求項１に記載の光コネクタにおいて、
前記接触部は、前記第一シールドケースを介して前記送信側のＦＯＴ及び前記受信側のＦＯＴを光軸方向に押圧する弾性の押圧部でもある
ことを特徴とする光コネクタ。
【発明の詳細な説明】
【技術分野】
【０００１】
本発明は、送信側のＦＯＴ（Fiber Optic Transceiver ）と、受信側のＦＯＴとを備える光コネクタに関する。
【背景技術】
【０００２】
例えば下記特許文献１に開示された従来の光コネクタは、発光素子を有する送信側のＦＯＴと、受光素子を有する受信側のＦＯＴと、これら送信側のＦＯＴ及び受信側のＦＯＴを並んだ状態且つ所定の間隔で収容するＦＯＴ収容室を有する光コネクタハウジングと、この光コネクタハウジングを覆いつつＦＯＴ収容室に収容された状態の送信側のＦＯＴ及び受信側のＦＯＴを覆うシールドケースとを備えて構成されている。
【０００３】
上記シールドケースは、一対の凸部を有している。この一対の凸部は、送信側のＦＯＴ及び受信側のＦＯＴの各背面に対向する壁に形成されている。一方、上記光コネクタハウジングは、ＦＯＴ収容室にＦＯＴ隔壁を有している。このＦＯＴ隔壁は、送信側のＦＯＴ及び受信側のＦＯＴの間を横切って突出するクロストーク防止用の壁として形成されている。ＦＯＴ隔壁は、シールドケースを光コネクタハウジングに組み付けた状態で、この先端がシールドケースの一対の凸部間に差し込まれるような形状に形成されている。
【０００４】
上記構成及び構造において、仮に送信側のＦＯＴから光信号が洩れた場合を考えると、横方向に洩れた光信号（信号ノイズ）は、ＦＯＴ隔壁によって遮断されるようになっている。また、後方に洩れた光信号（信号ノイズ）は、凸部とＦＯＴ隔壁の先端とによって遮断されるようになっている。
【先行技術文献】
【特許文献】
【０００５】
【特許文献１】特開２００６−２１５２７３
【発明の概要】
【発明が解決しようとする課題】
【０００６】
光コネクタの小型化を実現するために、発光素子と受光素子とのピッチを狭めることが考えられる。しかしながら、発光素子と受光素子とのピッチを狭めることは送信側のＦＯＴと受信側のＦＯＴとの間隔を狭めることになることから、これによりシールドケースの凸部やＦＯＴ収容室のＦＯＴ隔壁を設けることができなくなってしまい、結果、ＦＯＴ隔壁による信号ノイズの遮断や、凸部とＦＯＴ隔壁の先端とによる信号ノイズの遮断をすることができなくなってしまうという問題点が生じてしまう。信号ノイズは、例えば受信側のＦＯＴの受光に影響を与えてしまうことから、信号ノイズを除去するための効果的な対策をする必要があると言える。
【０００７】
本発明は、上記した事情に鑑みてなされたもので、発光素子と受光素子とのピッチを狭めた状態であっても効果的に信号ノイズの除去をすることが可能な光コネクタを提供することを課題とする。
【課題を解決するための手段】
【０００８】
上記課題を解決するためになされた請求項１記載の本発明の光コネクタは、送信側のＦＯＴ（Fiber Optic Transceiver ）と、受信側のＦＯＴと、前記送信側のＦＯＴ及び前記受信側のＦＯＴを並べ且つ近接させた状態でこれらを覆う金属製の第一シールドケースと、該第一シールドケースに接触する接触部及びグランドとして機能するグランド部を有する金属製の第二シールドケースとを備えることを特徴としている。
【０００９】
このような特徴を有する本発明によれば、送信側のＦＯＴと受信側のＦＯＴとの間に生じる信号ノイズは、第一シールドケースから第二シールドケースのグランド部を介してグランドに逃がされる。本発明によれば、送信側のＦＯＴからの信号ノイズによって、受信側のＦＯＴの受光に影響を与えてしまうようなことはない。本発明は、光コネクタの小型化を実現するために、信号ノイズを効果的に除去する対策であると言える。
【００１０】
請求項２記載の本発明の光コネクタは、請求項１に記載の光コネクタにおいて、前記接触部は、前記第一シールドケースを介して前記送信側のＦＯＴ及び前記受信側のＦＯＴを光軸方向に押圧する弾性の押圧部でもあることを特徴としている。
【００１１】
このような特徴を有する本発明によれば、接触部兼押圧部によって送信側のＦＯＴ及び受信側のＦＯＴは光軸方向に押圧される。ＦＯＴと例えば光ファイバとの間に間隙がある場合は、この間隙を狭めることが可能になる（光損失を最小限に抑えることが可能になる）。
【発明の効果】
【００１２】
請求項１に記載された本発明によれば、発光素子と受光素子とのピッチを狭めた状態であっても効果的に信号ノイズの除去をすることができるという効果を奏する。
【００１３】
請求項２に記載された本発明によれば、接触部のより良い一例を提案することができるという効果を奏する。
【図面の簡単な説明】
【００１４】
【図１】本発明の光コネクタの一実施の形態を示す図であり、（ａ）は光コネクタの分解斜視図、（ｂ）は光コネクタの断面図である。
【図２】光コネクタの分解斜視図である。
【図３】ＦＯＴの斜視図である。
【図４】第二シールドケースの後部を断面にしてＦＯＴ及び第一シールドケースの状態を示す図である。
【図５】図４の比較例となる図（第一シールドケース無しの状態）である。
【発明を実施するための形態】
【００１５】
以下、図面を参照しながら説明する。図１は本発明の光コネクタの一実施の形態を示す図であり、（ａ）は光コネクタの分解斜視図、（ｂ）は光コネクタの断面図である。また、図２は光コネクタの分解斜視図、図３はＦＯＴの斜視図、図４は第二シールドケースの後部を断面にしてＦＯＴ及び第一シールドケースの状態を示す図、図５は図４の比較例となる図（第一シールドケース無しの状態）である。
【００１６】
図１において、引用符号１は本発明の光コネクタを示している。光コネクタ１は、図示しない回路基板に実装されるレセプタクルタイプのものであって、ＦＯＴ（Fiber Optic Transceiver ）２と、光コネクタハウジング３と、第一シールドケース４と、第二シールドケース５とを備えて構成されている。先ず、各構成部材について説明する（図１中の矢印Ｐを前後方向、矢印Ｑを上下方向、矢印Ｒを左右方向と定義するものとする）。
【００１７】
図１ないし図３において、上記ＦＯＴ２は、光素子を有するＦＯＴ本体６と、このＦＯＴ本体６から伸びる複数の基板接続用のピン、すなわちリードフレーム７とを有している。ＦＯＴ２は、送信側（発光側）のものと受信側（受光側）のものの二つが備えられている（送信側のＦＯＴを２ａ、受信側のＦＯＴを２ｂとする）。送信側のＦＯＴ２ａは発光素子を有しており、受信側のＦＯＴ２ｂは受光素子を有している。各光素子は、対応するリードフレーム７にワイヤーボンディング等で接続されている。
【００１８】
ＦＯＴ本体６の後面は、平坦に形成されている。この後面は、第一シールドケース４を介在させた状態で第二シールドケース５により前方へと押圧されるようになっている。ＦＯＴ本体６の前面には、光学的な接続の際の接続相手案内部分となる環状案内部８が形成されている。
【００１９】
リードフレーム７は、断面四角形状であって特に限定するものでないが、ＦＯＴ本体６の下部から下方向にのびる第一の部分７ａと、この第一の部分７ａに連続し略前方向又は後方向にのびる第二の部分７ｂと、第二の部分７ｂに連続し下方向にのびる第三の部分７ｃとを有している。第三の部分７ｃの先端は、図示しない回路基板に差し込まれて対応する回路に半田付けされるようになっている。リードフレーム７は、図示の如く、千鳥状に配置されている。
【００２０】
図１及び図２において、上記光コネクタハウジング３は、絶縁性を有する合成樹脂製の部材であって、ハウジング後面を開口させて形成されるＦＯＴ収容室９を有している。ＦＯＴ収容室９は、第一シールドケース４に覆われた状態の二つのＦＯＴ２を収容することができるように形成されている。
【００２１】
光コネクタハウジング３は、ＦＯＴ収容室９の左右両側となる各壁に、第一シールドケース４を嵌合係止させるための係止凹部１０を有している。また、光コネクタハウジング３は、第二シールドケース５を嵌合係止させるための係止凹部１１を上記係止凹部１０よりも前方に有している。
【００２２】
上記第一シールドケース４は、導電性を有する薄肉金属板をプレス加工することにより形成されている。第一シールドケース４は、ノイズ対策のために備えられている。第一シールドケース４は、送信側のＦＯＴ２ａ及び受信側のＦＯＴ２ｂを並べ且つ近接させた状態でこれらのＦＯＴ本体６の周囲を覆うような略筒状の形状に形成されている。このような形状の第一シールドケース４は、上記薄肉金属板によりなる隔壁板１２を有している。隔壁板１２は、送信側のＦＯＴ２ａと受信側のＦＯＴ２ｂとの間に介在するように配置形成されている。
【００２３】
第一シールドケース４の左右両側には、光コネクタハウジング３の係止凹部１０に引っ掛かり嵌合係止される弾性の係止片１３が形成されている。係止片１３は、板バネ状に形成されている。第一シールドケース４の前側には、送信側のＦＯＴ２ａ及び受信側のＦＯＴ２ｂの各環状案内部８に対する貫通孔（符号省略）が形成されている。一方、第一シールドケース４の後側には、平坦な面が形成されている。第一シールドケース４の後側は、第二シールドケース５からの押圧を受ける面となっている。
【００２４】
上記第二シールドケース５は、第一シールドケース４と同様、導電性を有する薄肉金属板をプレス加工することにより形成されている。第二シールドケース５もノイズ対策のために備えられている。第二シールドケース５は、本形態において、光コネクタハウジング３を覆うような箱形の形状に形成されている（一例であるものとする）。
【００２５】
第二シールドケース５は、第一シールドケース４の後側に接触する接触部兼押圧部１４（接触部、押圧部）を有している。接触部兼押圧部１４は、板バネ形状であるとともにインデントを有しており、第一シールドケース４に電気的に接触する機能と、第一シールドケース４を介して送信側のＦＯＴ２ａ及び受信側のＦＯＴ２ｂを光軸方向に押圧する機能とを有している。
【００２６】
第二シールドケース５における引用符号１５は図示しない回路基板に対し差し込んで固定をするための固定部を示している。また、引用符号１６はグランド部を示している。グランド部１６は、図示しない回路基板のグランドに半田付けされるようになっている。また、引用符号１７は光コネクタハウジング３の係止凹部１１に引っ掛かり係止される係止片を示している。
【００２７】
次に、上記構成及び構造に基づきながら本発明の光コネクタ１の組み立てについて説明する。
【００２８】
図１（ａ）及び図２に示す如く、送信側のＦＯＴ２ａ及び受信側のＦＯＴ２ｂの各ＦＯＴ本体６を第一シールドケース４で覆い、この後に図１（ｂ）に示す如く、光コネクタハウジング３のＦＯＴ収容室１０に第一シールドケース４で覆った状態の送信側のＦＯＴ２ａ及び受信側のＦＯＴ２ｂを（ＦＯＴ本体６を）圧入によって収容する。この時の収容は、光コネクタハウジング３の後方から前方に向けて移動させるような収容となる。第一シールドケース４で覆った状態の送信側のＦＯＴ２ａ及び受信側のＦＯＴ２ｂを収容した後、光コネクタハウジング３を覆うようにして第二シールドケース５を組み付けると（装着すると）、一連の組み立てが完了する。
【００２９】
本発明の光コネクタ１において、送信側のＦＯＴ２ａ及び受信側のＦＯＴ２ｂは、第一シールドケース４で覆われた状態にあり、そして、第二シールドケース５の装着によってこの第二シールドケース５の接触部兼押圧部１４が第一シールドケース４の後側に接触することから、送信側のＦＯＴ２ａと受信側のＦＯＴ２ｂとの間に生じる信号ノイズは、第二シールドケース５の接触部兼押圧部１４及びグランド部１６を介してグランドに逃がされる。従って、送信側のＦＯＴ２ａからの信号ノイズによって、受信側のＦＯＴ２ｂの受光に影響がでてしまうようなことはない（第一シールドケース４が存在しない、図５に示すような従来タイプの光コネクタ１０１の場合、送信側のＦＯＴ２ａと受信側のＦＯＴ２ｂとの間隔を狭めると、信号ノイズが矢印方向に生じてしまう。すなわちクロストークが発生してしまう）。本発明の光コネクタ１は、信号ノイズを効果的に除去することができる（特に図示しないが、送信側のＦＯＴ２ａの信号ノイズが受信側のＦＯＴ２ｂに洩れてないことを示す波形を得ている）。
【００３０】
以上、図１ないし図５を参照しながら説明してきたように、本発明によれば、発光素子と受光素子とのピッチを狭めた状態、言い換えれば送信側のＦＯＴ２ａと受信側のＦＯＴ２ｂとの間隔を狭めた状態であっても効果的に信号ノイズの除去をすることができるという効果を奏する。このことから、光コネクタの小型化を実現することができるという効果も奏する。
【００３１】
送信側のＦＯＴ２ａと受信側のＦＯＴ２ｂとの間に生じる信号ノイズは、第二シールドケース５の接触部兼押圧部１４及びグランド部１６を介してグランドに逃がされることから、第一シールドケース４にグランド部を設ける必要がなく、本発明の構成であってもピン数の増加を抑制することができる。
【００３２】
本発明は本発明の主旨を変えない範囲で種々変更実施可能なことは勿論である。
【００３３】
本発明は、光コネクタと電気コネクタの両方の機能を有するハイブリッドコネクタや、ピッグテールタイプの光コネクタにも適用することが可能であるものとする。
【符号の説明】
【００３４】
１  光コネクタ
２  ＦＯＴ
２ａ  送信側のＦＯＴ
２ｂ  受信側のＦＯＴ
３  光コネクタハウジング
４  第一シールドケース
５  第二シールドケース
６  ＦＯＴ本体
７  リードフレーム
７ａ  第一の部分
７ｂ  第二の部分
７ｃ  第三の部分
８  環状案内部
９  ＦＯＴ収容室
１０、１１  係止凹部
１２  隔壁板
１３  係止片
１４  接触部兼押圧部（接触部、押圧部）
１５  固定部
１６  グランド部
１７  係止片
【図１】
2010175575.tif 000003
【図２】
2010175575.tif 000004
【図３】
2010175575.tif 000005
【図４】
2010175575.tif 000006
【図５】
2010175575.tif 000007